(57)【要約】【課題】  多くのスピーカーを包装でき、簡易な構成で部品点数が少なくて、輸送時の衝撃に強い動電型スピーカー用包装装置を提供する。【解決手段】  中仕切部材は、動電型スピーカーのフレームの側面部が載置される第１折曲片と、第１折曲片から折曲部を介して形成されて、フレームのネック部に係合する前側切欠部を有する第２折曲片と、第２折曲片から折曲部を介して第２折曲片に重ね合わされるように形成されて、動電型スピーカーの磁気回路に当接する当接部と、前側切欠部に連通する後側切欠部と、を有する第３折曲片と、第３折曲片から折曲部を介して略三角形の断面を規定するように形成されて、略三角形の折曲頂部に磁気回路の側面部を載置する第４折曲片と、を備え、第１折曲片および第４折曲片が、動電型スピーカー用包装装置の内部平面に載置される底面を規定するようにする。【選択図】  図１
2010095268.tif 000002
【特許請求の範囲】
【請求項１】
段ボール紙を折り曲げ加工して形成する動電型スピーカー用包装装置の中仕切部材であって、
該動電型スピーカーのフレームの側面部が載置される第１折曲片と、
該第１折曲片から折曲部を介して形成されて、該フレームのネック部に係合する前側切欠部を有する第２折曲片と、
該第２折曲片から折曲部を介して該第２折曲片に重ね合わされるように形成されて、該動電型スピーカーの磁気回路に当接する当接部と、該前側切欠部に連通する後側切欠部と、を有する第３折曲片と、
該第３折曲片から折曲部を介して略三角形の断面を規定するように形成されて、該略三角形の折曲頂部に該磁気回路の側面部を載置する第４折曲片と、を備え、
該第１折曲片および該第４折曲片が、該動電型スピーカー用包装装置の内部平面に載置される底面を規定する、中仕切部材。
【請求項２】
重ね合わされる前記第２折曲片および前記第３折曲片が、連通する切欠孔をそれぞれ有し、前記第４折曲片が、切り起こされたフラップ部を有し、該フラップ部が該切欠孔に嵌入する、請求項１に記載の中仕切部材。
【請求項３】
前記第１折曲片が、折曲部を介して形成されて、該動電型スピーカーのフレームの前面部を覆う第５折曲片をさらに有する、
請求項１または２に記載の中仕切部材。
【請求項４】
請求項１から３のいずれかに記載の中仕切部材と、前記内部平面を有する略直方体の外装紙器と、を備える、動電型スピーカー用包装装置。
【請求項５】
前記中仕切部材が、重ね合わされる前記第２折曲片および前記第３折曲片を連通する連結孔をさらに有し、該連結孔を介して複数の該中仕切部材を連結する連結部材をさらに備える、請求項４に記載の動電型スピーカー用包装装置。
【発明の詳細な説明】
【技術分野】
【０００１】
本発明は、動電型スピーカーを包装もしくは梱包する中仕切部材およびこれを用いた包装装置に関し、特に、複数の動電型スピーカーを運搬する際に使用する包装装置に関する。
【背景技術】
【０００２】
従来の動電型スピーカーに適用する包装装置においては、運搬時の衝撃や粉塵等から電機電子機器等を保護するという本来の目的で、例えば、ツイーター付きのスピーカーにおいて、突出したスピーカー前面を包装面と直接接しないように完全に覆い、輸送時等における包装の形崩れやスピーカーの前後左右の移動を防止する目的で、一部が突出した被包装物（ツイーター付のスピーカー）に巻き付けて包装する帯状の包装体であって、複数の折り曲げ線を介して複数の包装面を連接形成し、この各包装面の内、スピーカー本体を包む包装面の少なくとも１つにスピーカー本体と当接して位置決めを行なう当接リブを形成すると共に、スピーカー本体前面のツイーターを包みそのツイーター周囲に緩衝空間を画する包装面の少なくとも１つに包装の形くずれを防止する支持リブを形成したものがある（特許文献１）。
【０００３】
また、従来には、多数の動電型スピーカーを運搬もしくは移動する目的で、略直方体の外装紙器に中仕切部材を設けて運びやすくするものがある。具体的には、所定厚さを有する段ボール紙等からなり、スピーカーを保持して包装箱内に収納するためのスピーカー包装用保持板において、少なくとも第１乃至第４の折曲片を順次折曲部を介して同一方向に連続して形成すると共に、上記第１の折曲片にはスピーカーの前面に突出したコーンエッジの径より大きくかつスピーカーのフレーム外周径より小さな透孔を、上記第２の折曲片にはスピーカーのフレーム外周径より小さな透孔を形成し、上記第２の折曲片は当該折曲片の透孔にその前方から挿入されるスピーカーのフレーム外周部背面にあてがう一方、上記第１の折曲片は上記第２の折曲片に重ね合わせるように折曲して上記第２の折曲片との間で上記スピーカーのフレーム外周部を挟着し、上記第３の折曲片は上記第２の折曲片の後方に折曲し、かつ上記第４の折曲片は折曲により起立させてスピーカーの後端にあてがう構成としたことを特徴とするスピーカー包装用保持板がある（特許文献２）。
【０００４】
【特許文献１】実公平６−１５８７１号公報  （第１図〜第３図）
【特許文献２】実公平７−８４１２号公報  （第１図〜第６図）
【０００５】
しかしながら、従来技術の動電型スピーカー用の包装装置では、多数の動電型スピーカーを運搬するように中仕切りを井桁形に組む場合に、重量が大きい磁気回路を有して重心バランスが偏った動電型スピーカーを、輸送時の衝撃に耐えられるように包装するには、包蔵装置の部品点数が多くなる等の問題があった。特に、一つの略直方体の外装紙器に、できるだけ多くの動電型スピーカーを納めることが望ましい場合には、包装装置を簡略化してそれぞれの間隔を短くするとしても、動電型スピーカー同士が衝突して破損するのを防ぐために、多くの包装部材が必要となる場合があった。
【発明の開示】
【発明が解決しようとする課題】
【０００６】
本発明は、上記の従来技術が有する問題を解決するためになされたものであり、その目的は、動電型スピーカーを包装もしくは梱包する中仕切部材およびこれを用いた包装装置に関し、特に、複数の動電型スピーカーを運搬する際に使用する中仕切部材およびこれを用いた包装装置に関して、多くのスピーカーを包装でき、簡易な構成で部品点数が少なくて、輸送時の衝撃に強い動電型スピーカー用包装装置を提供することにある。
【課題を解決するための手段】
【０００７】
本発明の中仕切部材は、段ボール紙を折り曲げ加工して形成する動電型スピーカー用包装装置の中仕切部材であって、動電型スピーカーのフレームの側面部が載置される第１折曲片と、第１折曲片から折曲部を介して形成されて、フレームのネック部に係合する前側切欠部を有する第２折曲片と、第２折曲片から折曲部を介して第２折曲片に重ね合わされるように形成されて、動電型スピーカーの磁気回路に当接する当接部と、前側切欠部に連通する後側切欠部と、を有する第３折曲片と、第３折曲片から折曲部を介して略三角形の断面を規定するように形成されて、略三角形の折曲頂部に磁気回路の側面部を載置する第４折曲片と、を備え、第１折曲片および第４折曲片が、動電型スピーカー用包装装置の内部平面に載置される底面を規定する。
【０００８】
好ましくは、本発明の中仕切部材は、重ね合わされる第２折曲片および第３折曲片が、連通する切欠孔をそれぞれ有し、第４折曲片が、切り起こされたフラップ部を有し、フラップ部が切欠孔に嵌入する。
【０００９】
好ましくは、本発明の中仕切部材は、第１折曲片が、折曲部を介して形成されて、動電型スピーカーのフレームの前面部を覆う第５折曲片をさらに有する。
【００１０】
また、本発明の動電型スピーカー用包装装置は、上記の中仕切部材と、内部平面を有する略直方体の外装紙器と、を備える。
【００１１】
好ましくは、本発明の動電型スピーカー用包装装置は、中仕切部材が、重ね合わされる第２折曲片および第３折曲片を連通する連結孔をさらに有し、連結孔を介して複数の中仕切部材を連結する連結部材をさらに備える。
【００１２】
以下、本発明の作用について説明する。
【００１３】
本発明の動電型スピーカー用包装装置は、動電型スピーカーを支持する中仕切部材と、複数の中仕切部材が載置される内部平面を有する略直方体の外装紙器と、を備える。複数の中仕切部材は、それぞれ段ボール紙を折り曲げ加工して形成するものであって、折曲部を介して形成される複数の折曲片に切欠孔が形成されている。好ましくは、複数の中仕切部材は、同様に段ボール紙を折り曲げ加工して形成される連結部材によって略井桁状に連結され、外装紙器に納められる。
【００１４】
具体的には、本発明の中仕切部材は、動電型スピーカーのフレームの側面部が載置される第１折曲片と、第１折曲片から折曲部を介して形成されて、フレームのネック部に係合する前側切欠部を有する第２折曲片と、第２折曲片から折曲部を介して第２折曲片に重ね合わされるように形成されて、動電型スピーカーの磁気回路に当接する当接部と、前側切欠部に連通する後側切欠部と、を有する第３折曲片と、第３折曲片から折曲部を介して略三角形の断面を規定するように形成されて、略三角形の折曲頂部に磁気回路の側面部を載置する第４折曲片と、を備える。つまり、重ね合わされる第２折曲片および第３折曲片を連通する前側切欠部および後側切欠部が、動電型スピーカーのフレームのネック部と磁気回路との連結部を載置するＵ字状の支持部を形成する。また、第１折曲片および第４折曲片は、外装紙器の内部平面に載置される底面を規定し、中仕切部材は、動電型スピーカーを支持することができる。
【００１５】
ここで、第４折曲片は、磁気回路の側面部を載置する略三角形の断面を規定するように折り曲げられ、好ましくは、切り起こされたフラップ部を有し、このフラップ部が、重ね合わされる第２折曲片および第３折曲片を連通する切欠孔に嵌入される。したがって、本発明の中仕切部材は、重量が大きい磁気回路を有して重心バランスが偏った動電型スピーカーを、輸送時の衝撃に耐えられるように安定して支持することができる。折り曲げ加工で容易に形成できる略三角形の折曲頂部は、磁気回路の側面部を載置するのに十分な安定した強度を発揮するので、部品点数を増やすことなく、輸送時の衝撃に強い動電型スピーカー用包装装置を実現することができる。
【００１６】
また、磁気回路の側面部を載置する第４折曲片は、磁気回路の背面部の保護を省略して磁気回路の背面部まで回り込まないので、外装紙器にできるだけ多くの動電型スピーカーを納めることが望ましい場合には、動電型スピーカー同士の間隔を短くすることができる。包装装置が複数の中仕切部材を連結する連結部材をさらに備える場合には、複数の中仕切部材同士の距離を、乱れることなく安定して保つことができる。なお、第１折曲片が、折曲部を介して形成されて、動電型スピーカーのフレームの前面部を覆う第５折曲片をさらに有する場合には、他の包装部材を必要とすることなく、動電型スピーカーで破壊されやすい振動板を保護することもできる。
【発明の効果】
【００１７】
本発明の中仕切部材およびこれを用いた動電型スピーカー用包装装置は、多くのスピーカーを包装でき、簡易な構成で部品点数が少なくて、輸送時の衝撃に強い動電型スピーカー用包装装置を提供することができる。
【発明を実施するための最良の形態】
【００１８】
本発明の中仕切部材は、多くのスピーカーを包装でき、簡易な構成で部品点数が少なくて、輸送時の衝撃に強い動電型スピーカー用包装装置を提供する目的を、動電型スピーカーのフレームの側面部が載置される第１折曲片と、第１折曲片から折曲部を介して形成されて、フレームのネック部に係合する前側切欠部を有する第２折曲片と、第２折曲片から折曲部を介して第２折曲片に重ね合わされるように形成されて、動電型スピーカーの磁気回路に当接する当接部と、前側切欠部に連通する後側切欠部と、を有する第３折曲片と、第３折曲片から折曲部を介して略三角形の断面を規定するように形成されて、略三角形の折曲頂部に磁気回路の側面部を載置する第４折曲片と、を備え、第１折曲片および第４折曲片が、動電型スピーカー用包装装置の内部平面に載置される底面を規定するようにすることにより、実現した。
【００１９】
以下、本発明の好ましい実施形態による中仕切部材およびこれを用いた動電型スピーカー用包装装置について説明するが、本発明はこれらの実施形態には限定されない。
【実施例１】
【００２０】
図１は、本発明の好ましい実施形態による包装装置１について説明する図である。包装装置１は、内容物である複数（図示する場合では２０個）の動電型スピーカー２を運搬時の衝撃や粉塵等から保護するために、外装紙器３と、後述する複数の中仕切部材１０と、下台紙４と、連結部材５と、保護緩衝部材６と、上台紙７と、を備える。例えば、外装紙器３はダンボール紙を略直方体に形成したカートンであり、下台紙４および上台紙７は、長方形のダンボール紙である。また、中仕切部材１０と、連結部材５ならびに保護緩衝部材６は、段ボール紙を折り曲げ加工して形成する部材である。外装紙器３は、略直方体の内部に平面を有しているので、下台紙４を介して複数の中仕切部材１０が載置され、それぞれの中仕切部材１０によって、それぞれの動電型スピーカー２は支持される。
【００２１】
本実施例の包装装置１は、１列に２個の動電型スピーカー２を配置し、かつ、１０列の中仕切部材１０を３つの連結部材５で連結して、合計２０個の動電型スピーカー２を収容している。対向する２つの動電型スピーカー２の間には、損傷しやすい振動板同士が、あるいは、磁気回路同士が、互いに接触しないように１１枚の保護緩衝部材６が挿入されている。包装装置１は、中仕切部材１０を連結する連結部材５を備えているので、これらの中仕切部材１０同士を略井桁状に連結し、それらの距離を乱れることなく安定して保つことができる。
【００２２】
図２および図３は、本実施例の中仕切部材１０の基本構成を説明する図である。具体的には、図２（ａ）は、１個の動電型スピーカー２に対応する中仕切部材１０の斜視図であり、図２（ｂ）は、中仕切部材１０の側面図であり、図２（ｃ）は、中仕切部材１０を組み立てる前の段ボール紙の展開図である。また、図３（ａ）ならびに図３（ｂ）は、動電型スピーカー２が載置される中仕切部材１０を説明する斜視図であり、図３（ｃ）は、側面図である。
【００２３】
中仕切部材１０は、厚さ約３．０ｍｍの比較的に安価なＢフルートと呼ばれる段ボール紙を折り曲げ加工して形成する部材であり、図２（ｃ）に示すように、展開した状態で予め、切欠孔（１６〜１９、２４、３４）と、突出するフラップ１４ｆを設けるように切断しておき、点線の折曲部で折り曲げることで構成される。中仕切部材１０は、底面を構成する第１折曲片１１と、垂直に立ち上がるように折り曲げられる第２折曲片１２と、第２折曲片１２に重ね合わされるように折り曲げられる第３折曲片１３と、第１折曲片１１とともに底面を構成し、かつ、略三角形の断面を規定するように形成される第４折曲片１４と、に折曲部で分けられる。なお、中仕切部材１０は、段ボール紙の中芯の目の方向と直交する方向に折曲部を設けるように折曲加工すると、強度が増して安定する構造にすることができる。
【００２４】
第１折曲片１１は、図２（ｂ）に示すように、第４折曲片１４とともに中仕切部材１０の底面１０ａを構成する部分であって、一方で、図３に示すように、動電型スピーカー２のフレーム２ｆの側面部が載置される部分である。第１折曲片１１は、動電型スピーカー２の前面側であるフレーム２ｆの全高とほぼ同じだけの長さを有するように折り曲げられて、フレーム２ｆの内部に構成されているスピーカー振動系を保護する。
【００２５】
第２折曲片１２および第３折曲片１３には、円弧状の前側切欠部２６および後側切欠部３６を含む略トラック形の切欠孔１６が、第２折曲片１２と第３折曲片１３とを分ける折曲部を渡って形成されている。したがって、第２折曲片１２および第３折曲片１３が重ね合わされると、図２に示すように、切欠孔１６によって動電型スピーカー２のフレーム２ｆのネック部２ｎに係合するＵ字状の支持部が形成される。図３に示すように、動電型スピーカー２のネック部２ｎと、磁気回路２ｍとの結合部であって、最も幅が狭くなる部分に切欠孔１６が係合するので、第２折曲片１２の前側切欠部２６の周囲が動電型スピーカー２のフレーム２ｆに当接し、第３折曲片１３の後側切欠部３６の周囲が磁気回路２ｍと当接する。その結果、動電型スピーカー２は、中仕切部材１０の第２折曲片１２および第３折曲片１３によって支持される。
【００２６】
また、第２折曲片１２および第３折曲片１３には、上記の切欠孔１６と同様に、直線状の前側切欠部２７および後側切欠部３７を含む略矩形の切欠孔１７が、折曲部を渡って形成されている。図３に示すように、切欠孔１７は、動電型スピーカー２のターミナル２ｔが第２折曲片１２に干渉しない幅と長さを有するように、形成されていればよい。なお、中仕切部材１０には、切欠孔１６および１７と同様に、重ね合わされる第２折曲片１２および第３折曲片１３を連通する連結孔１８および１９をさらに有する。これらの連結孔１８および１９には、連結部材５が挿入されて、複数の中仕切部材１０同士を連結する。
【００２７】
第４折曲片１４は、点線で記載する２箇所の折曲部により略三角形の断面を規定するように折り曲げられる。本実施例の場合には、第４折曲片１４は、突出するフラップ１４ｆを設けられているので、これらのフラップ１４ｆは、第２折曲片１２および第３折曲片１３の対応する位置に設けられる連通する２箇所の切欠孔２４および３４に嵌入される。図２および図３に示すように、フラップ１４ｆが切欠孔２４および３４に嵌入される結果、第４折曲片１４は略三角形の断面を安定に保持することができる。また、切欠孔２４および３４に嵌入されるフラップ１４ｆは、重ね合わされた第２折曲片１２および第３折曲片１３が、離れて広がろうとするのを防ぎ、中仕切部材１０の形状を維持するように作用する。
【００２８】
したがって、中仕切部材１０は、重量が大きい磁気回路２ｍを有する動電型スピーカー２を、安定して支持することができる。動電型スピーカー２は、磁気回路２ｍの方に重心バランスが偏るので、第４折曲片１４における略三角形の折曲頂部１４ｘは、磁気回路２ｍの側面部を載置するのに十分な安定した強度を発揮する。このような構成により、折り曲げ加工で容易に形成できる中仕切部材１０は、部品点数を増やすことなく、輸送時の衝撃に強い動電型スピーカー用包装装置１を実現することができる。
【００２９】
本実施例の中仕切部材１０は、第４折曲片１４における略三角形の折曲頂部１４ｘを、その全長に渡って折り曲げ加工することで形成しているが、磁気回路２ｍの長さに相当する部分のみに折曲頂部１４ｘを設けても良い。略三角形の折曲頂部１４ｘは、その長さが短くても十分な安定した強度を発揮するので、動電型スピーカー２を安定して支持することができる。また、折曲頂部１４ｘの全長を動電型スピーカー２の磁気回路２ｍに対応して短くすると、折曲加工が更に容易になる利点がある。
【００３０】
なお、第４折曲片１４は、上記のフラップ１４ｆを備えていなくても、略三角形の断面を有して略三角形の折曲頂部１４ｘを維持するように折り曲げられていればよい。フラップ１４ｆを備えない場合は、中仕切部材１０の切断外形は長方形になり、更に簡略化して、コストを低減できる。第４折曲片１４の端部が、突出するフラップ１４ｆを設けていない直線状であっても、第３折曲片１３と第４折曲片１４との間の略直角な折曲部に係止されれば、略三角形の折曲頂部１４ｘを有する第４折曲片１４を実現することができる。
【００３１】
もちろん、第４折曲片１４の端部が直線状であっても、一部分を切り起こしてフラップ１４ｆを設けてもよい。フラップ１４ｆは、図示する矩形に限定されるものではなく、先に切欠孔２４および３４に嵌入される先端側が広がった台形であっても、フラップ１４ｆの幅が一部で広くなる六角形であってもよい。フラップ１４ｆの幅が広くなる部分があると、切欠孔２４および３４との嵌合が強くなって、重ね合わされた第２折曲片１２および第３折曲片１３が、離れて広がろうとするのを防ぐことができる。
【００３２】
なお、本発明の包装装置１の外装紙器３は、上記の実施例に限られない。外装紙器３を構成する材料は、ダンボール以外であっても、ボール紙、樹脂シート等であってもよい。また、緩衝部材はスチロール樹脂を発泡成型させたパッド以外であってもよく、ダンボール等の紙材料を折曲げや組立等した緩衝部材であってもよい。
【実施例２】
【００３３】
図４は、他の実施例の中仕切部材４０の基本構成を説明する図である。具体的には、図４（ａ）ならびに図４（ｂ）は、動電型スピーカー２が載置される中仕切部材４０を説明する斜視図であり、図４（ｃ）は、側面図である。本実施例の（図示しない）包装装置は、先の実施例の包装装置１と同様の構成であって、先の実施例の中仕切部材１０に代えて、本実施例の中仕切部材４０を使用する。中仕切部材４０は、連結部材５で連結する構成等も同様であるので、重複する説明を省略する。
【００３４】
中仕切部材４０は、先の実施例の中仕切部材１０と同様に、厚さ約３．０ｍｍの比較的に安価なＢフルートと呼ばれる段ボール紙を折り曲げ加工して形成する部材であり、図２（ｃ）に示すように、展開した状態で予め、切欠孔と、突出するフラップを設けるように切断しておき、点線の折曲部で折り曲げることで構成される。中仕切部材４０は、底面を構成する第１折曲片４１と、垂直に立ち上がるように折り曲げられる第２折曲片４２と、第２折曲片４２に重ね合わされるように折り曲げられる第３折曲片４３と、第１折曲片４１とともに底面を構成し、かつ、略三角形の断面を規定するように形成される第４折曲片４４と、に折曲部で分けられる。ただし、第１折曲片４１からは、動電型スピーカー２のフレーム２ｆの前面部を覆う第５折曲片４５が、折曲部４５を介してさらに形成されている。
【００３５】
第５折曲片４５は、動電型スピーカー２のフレーム２ｆの前面部を覆う広さの平面であって、第１折曲片４１から折曲部を介して略垂直に折り曲げられる。したがって、本実施例の（図示しない）包装装置は、先の実施例の場合の中仕切部材１０で必要であった保護緩衝部材６を、省略することができる。簡易な構成で部品点数が少なくて、輸送時の衝撃に強い動電型スピーカー用包装装置を実現できる。
【００３６】
また、重ね合わされる第２折曲片４２および第３折曲片４３は、動電型スピーカー２のフレーム２ｆのネック部２ｎと磁気回路２ｍとの連結部を載置するＵ字状の支持部を形成する。また、第４折曲片４４は、略三角形の断面を規定するように折り曲げられ、磁気回路２ｍの側面部を載置する略三角形の折曲頂部４４ｘを有する。したがって、中仕切部材４０は、重量が大きい磁気回路２ｍを有して重心バランスが偏った動電型スピーカー２を、輸送時の衝撃に耐えられるように安定して支持することができる。
【産業上の利用可能性】
【００３７】
本発明の包装装置は、トラック形の振動板並びにフレームを有する動電型スピーカーに限られず、丸型のフレームを有する動電型スピーカーの包装装置にも適用が可能である。
【図面の簡単な説明】
【００３８】
【図１】本発明の好ましい実施形態による包装装置について説明する図である。（実施例１）
【図２】本発明の包装装置の中仕切部材の構成を説明する図である。（実施例１）
【図３】本発明の包装装置の中仕切部材の構成を説明する図である。（実施例１）
【図４】本発明の包装装置の他の包装装置の中仕切部材の構成を説明する図である（実施例２）
【符号の説明】
【００３９】
１            包装装置
２            動電型スピーカー
３            外装紙器
４            下台紙
５            連結部材
６            保護緩衝部材
７            上台紙
１０、４０    中仕切部材
１１、４１    第１折曲片
１２、４２    第２折曲片
１３、４３    第３折曲片
１４、４４    第４折曲片
４５          第５折曲片
１６、１７    切欠孔
１８、１９    連結孔
２４、３４    切欠孔
【図１】
2010095268.tif 000003
【図２】
2010095268.tif 000004
【図３】
2010095268.tif 000005
【図４】
2010095268.tif 000006